(57)【特許請求の範囲】
【請求項１】
所定の形状に屈曲可能なケーブルガイドの端部に配され、被固定部に固定されるブラケットに回転可能に保持されるケーブルガイドのガイド端であり、
前記ケーブルガイドの内部に挿通された電線を外部に引き出す電線挿通孔を周方向に分割する第１分割体及び第２分割体を有し、
前記第１分割体と第２分割体とが合体した状態では前記電線挿通孔の全周が閉じ、前記第１分割体と第２分割体とが合体していない状態では前記電線挿通孔が開いた状態になり、
前記電線を包囲して前記ケーブルガイドの長手方向に開口する筒状部を有し、
前記筒状部が、前記被固定部に固定された前記ブラケットに保持された状態において上側に配される上壁と下側に配される下壁とを有し、
前記第１分割体が上壁を有し、前記第２分割体が下壁を有しており、
前記第１分割体と前記第２分割体とが、前記ブラケットに保持された状態における水平方向に合体するものであり、
前記第１分割体と前記第２分割体との合体に伴って前記水平方向にスライド嵌合し、前記ブラケットに保持された状態における上下方向に係止可能な嵌合構造を備えているケーブルガイドのガイド端。
【請求項２】
請求項１に記載のケーブルガイドのガイド端を備えているケーブルガイド。
【請求項３】
請求項２に記載のケーブルガイドと、
前記ケーブルガイドに挿通された複数の電線と、
を備えているワイヤハーネス。。
【発明の詳細な説明】
【技術分野】
【０００１】
本発明は、ケーブルガイドのガイド端、ケーブルガイド及びワイヤハーネスに関する。
【背景技術】
【０００２】
従来、例えば自動車のスライドドア内に装備された電装品に給電するワイヤハーネス等、所定の屈曲動作が繰り返し行われるワイヤハーネスが知られている。例えば下記特許文献１に記載のワイヤハーネスは、電線を包囲して所定の屈曲動作をガイドするケーブルガイドを有し、ケーブルガイドの端部（ガイド端）は、スライドドアに固定されたドア側ブラケット、およびボディに固定されたボディ側ブラケットに回転可能に保持されている。ケーブルガイドの内部に挿通された電線は、ガイド端に形成されたハーネス挿通孔から外部に引き出される。
【先行技術文献】
【特許文献】
【０００３】
【特許文献１】特開２０１４−４２３６７号公報
【発明の概要】
【発明が解決しようとする課題】
【０００４】
しかしながら、上記のような構成では、ワイヤハーネスを組み立てる際、ガイド端のハーネス貫通孔に電線を通す作業を行う必要があるため、組み立て作業が容易ではないという問題があった。
【０００５】
本発明は上記のような事情に基づいて完成されたものであって、ワイヤハーネスの組み立て作業を容易に行うことが可能なケーブルガイドのガイド端、ケーブルガイド及びワイヤハーネスを提供することを目的とする。
【課題を解決するための手段】
【０００６】
本発明のケーブルガイドのガイド端は、所定の形状に屈曲可能なケーブルガイドの端部に配され、被固定部に固定されるブラケットに回転可能に保持されるケーブルガイドのガイド端であり、前記ケーブルガイドの内部に挿通された電線を外部に引き出す電線挿通孔を周方向に分割する第１分割体及び第２分割体を有し、前記第１分割体と第２分割体とが合体した状態では前記電線挿通孔の全周が閉じ、前記第１分割体と第２分割体とが合体していない状態では前記電線挿通孔が開いた状態になるものである。
【０００７】
本発明のケーブルガイドは、前記ケーブルガイドのガイド端を備えているものである。
本発明のワイヤハーネスは、前記ケーブルガイドと、前記ケーブルガイドに挿通された複数の電線と、を備えているものである。
【発明の効果】
【０００８】
本発明によれば、第１分割体および第２分割体の一方に電線を沿わせ、他方を合体することにより、電線挿通孔に電線が挿通された状態になるから、電線を通す作業が不要になるのでワイヤハーネスの組み立て作業を容易に行うことができる。
【図面の簡単な説明】
【０００９】
【図１】本実施例におけるワイヤハーネスであって、車両に搭載された状態を示す概略図
【図２】ケーブルガイドのガイド端がブラケットに取り付けられている状態を示す側面図
【図３】ケーブルガイドのガイド端がブラケットに取り付けられている状態を示す断面図であって、図２のＡ−Ａ位置における断面に相当する断面図
【図４】ケーブルガイドのガイド端を示す斜視図
【図５】ケーブルガイドのガイド端の断面図であって、図４のＢ−Ｂ位置における断面に相当する断面図
【図６】合体前の第１分割体及び第２分割体を示す斜視図
【図７】第１分割体を示す正面図
【図８】第２分割体を示す正面図
【発明を実施するための形態】
【００１０】
本発明の好ましい形態を以下に示す。
本発明のケーブルガイドのガイド端は、前記電線を包囲して前記ケーブルガイドの長手方向に開口する筒状部を有し、前記筒状部が、前記被固定部に固定された前記ブラケットに保持された状態において上側に配される上壁と下側に配される下壁とを有し、前記第１分割体が上壁を有し、前記第２分割体が下壁を有しているものとしてもよい。
【００１１】
また、本発明のケーブルガイドのガイド端は、前記第１分割体と前記第２分割体とが、前記ブラケットに保持された状態における水平方向に合体するものであり、前記第１分割体と前記第２分割体との合体に伴って前記水平方向にスライド嵌合し、前記ブラケットに保持された状態における上下方向に係止可能な嵌合構造を備えているものとしてもよい。このような構成によれば、例えばケーブルガイドが踏まれて第２分割体に下向きの力が加わっても、その力が嵌合構造に受けられるから、第１分割体と第２分割体とを合体状態に保持することができる。
【００１２】
＜実施例＞
以下、本発明を具体化した一実施例について、図１〜図８を参照しつつ詳細に説明する。
本実施例におけるワイヤハーネスＷは、スライドドアＤを有する車両に搭載されるものであり、スライドドアＤ内に装備される電装品に常時給電するスライドドア用ワイヤハーネスである。ワイヤハーネスＷは、車両ボディＢとスライドドアＤの下端との間に架設される。ワイヤハーネスＷは、複数本の電線５０と、略水平面内で所定の形状に屈曲可能なケーブルガイド５１とを備えている。以下、各構成部材において、図２の上側（ワイヤハーネスＷが車両に搭載された状態における上側）を上方、下側を下方として説明する。
【００１３】
ケーブルガイド５１は、図１に示すように、複数のリンク体５２を回動可能に連結したものであり、内部に電線５０の束が挿通されている。ケーブルガイド５１のボディＢ側の端部に配されたガイド端５３は、ボディ側ブラケット５４に回動可能に取り付けられ、スライドドアＤ側の端部に配されたガイド端１０は、ドア側ブラケット（以後、単にブラケット５５と称する）に回動可能に取り付けられる。
【００１４】
ガイド端１０は、図４に示すように、電線５０を包囲してケーブルガイド５１の長手方向に開口する筒状部１１と、筒状部１１の上面に突設された回転部１２とを備えている。筒状部１１は、断面方形状をなし、上側に配される上壁１３、下側に配される下壁１４、および上壁１３と下壁１４との間に立つ一対の側壁１５を備えている。一対の側壁１５は、上壁１３及び下壁１４に対して略垂直に立っている。また、筒状部１１は、ケーブルガイド５１の長手方向における端に立設された端壁１８を有している。端壁１８は、平面視、円弧形状（半円状）をなして湾曲し、下壁１４に対して略垂直に立っている。
【００１５】
筒状部１１のケーブルガイド５１の長手方向における一端側には、他のリンク体５２との連結部１６が設けられている。連結部１６には、連結孔１７が、上壁１３および下壁１４に、上下方向に貫通形成されている。
【００１６】
筒状部１１の下端には、後述する上側フランジ部２１と略平行をなす下側フランジ部１９が設けられている。下側フランジ部１９は、連結部１６とは反対側の端部に設けられ、筒状部１１の下面に沿って端壁１８の外側に突出している。下側フランジ部１９は、平面視、円環状をなしている。
【００１７】
回転部１２は、全体として球形状をなし、筒状部１１のうち連結部１６とは反対側の端部の上面に突出している。回転部１２の外面は、球面２２とされ、球面２２は、回転部１２の全周および全高にわたって連続して形成されている。
【００１８】
回転部１２には、略水平に突出する上側フランジ部２１が設けられている。上側フランジ部２１は、回転部１２の上下方向における中央部（水平方向の径寸法が最も大きい部位）に突設され、図３に示すように、ブラケット５５の溝部５６に入り込み可能とされている。上側フランジ部２１が溝部５６に入り込むことにより、ガイド端１０はブラケット５５に首吊り状態に支持される。上側フランジ部２１は、回転部１２の全周にわたって、一定の突出寸法を有して連続している。上側フランジ部２１の上下両面は、略水平な面とされている。回転部１２は、上側フランジ部２１を基準に上下対称な形状をなしている。
【００１９】
回転部１２の内側には、図４に示すように、ケーブルガイド５１の内部に挿通された電線５０を外部に引き出す電線挿通孔２３が形成されている。電線挿通孔２３は、断面円形状をなし、回転部１２および上壁１３を上下方向に貫通して筒状部１１の内部に連通している。電線挿通孔２３の軸線と筒状部１１の軸線とは略直交している。
【００２０】
ガイド端１０は、電線挿通孔２３を周方向に分割する第１分割体３０及び第２分割体４０を有している。第１分割体３０と第２分割体４０とが合体した状態では、図４に示すように、電線挿通孔２３の全周が閉じ、第１分割体３０と第２分割体４０とが合体していない状態では、図６に示すように、電線挿通孔２３が開いた状態になる。第１分割体３０と第２分割体４０とは、水平方向に合体するものとされている。
【００２１】
回転部１２は、ケーブルガイド５１の長手方向に２分割され、電線挿通孔２３は、ケーブルガイド５１の長手方向に開くようになっている。回転部１２の分割面２４は略垂直をなしている。
【００２２】
ガイド端１０は、合体された第１分割体３０と第２分割体４０とを離間不能にロックするロック構造２５を有している。ロック構造２５は、ケーブルガイド５１の長手方向（水平方向）に係止可能なロック突起３１とロック片４１とを有している。
【００２３】
第１分割体３０は、筒状部１１の一部（以後、第１筒状部３２と称する）と、回転部１２の一部（以後、第１回転部３３と称する）とを有している。
第１筒状部３２は、図６に示すように、上壁１３と一対の側壁１５とを有して下面側及び長手方向の両側が開放された形状をなしている。一対の側壁１５の外面には、ロック突起３１が突設されている。
【００２４】
第１筒状部３２には、図６に示すように、上壁１３の短手方向（幅方向）における両端縁部が側壁１５よりも外側に突出してなる突出縁部３５が設けられている。突出縁部３５のうち第１回転部３３側の端部は、図４に示すように、第１分割体３０と第２分割体４０との合体時に、第２分割体４０の端壁１８に近接可能となっている。
【００２５】
また、第１筒状部３２には、図６に示すように、連結部１６側の端部において側壁１５から外側に突出して形成された突出壁部３６が設けられている。突出壁部３６は、図４に示すように、第１分割体３０と第２分割体４０との合体時に、第２分割体４０の第２突部４７および立突部４８が近接可能となっている。
【００２６】
第１回転部３３は、図６に示すように、回転部１２のうちケーブルガイド５１の長手方向における中心側（連結部１６側）に位置する部分であり、上壁１３に連なっている。
【００２７】
第２分割体４０は、筒状部１１の一部（以後、第２筒状部４２と称する）と、回転部１２の一部（以後、第２回転部４３と称する）とを有している。
第２筒状部４２は、図６に示すように、下壁１４と端壁１８とを有して上面側及び長手方向の連結部１６側が開放された形状をなしている。端壁１８の幅方向における両端部には、ロック片４１が設けられている。ロック片４１は、端壁１８から略水平に片持ち状に延出する上下一対のアーム部４１Ａと、一対のアーム部４１Ａの先端間に渡された渡し部４１Ｂとを備えている。第１分割体３０と第２分割体４０との合体状態では、図４に示すように、渡し部４１Ｂは、ロック突起３１と水平方向（合体方向）に係止し、ロック突起３１は上下のアーム部４１Ａの間に嵌合する。
【００２８】
第２回転部４３は、図６に示すように、回転部１２のうちケーブルガイド５１の長手方向における端側（連結部１６とは反対側）に位置する部分であり、端壁１８に連なっている。
【００２９】
第１分割体３０と第２分割体４０とは、水平方向にスライド嵌合する嵌合構造２６を備えている。嵌合構造２６は、ガイド端１０の両側面に設けられて凹凸嵌合するものであり、水平方向（スライド方向）に長く延びた形状をなしている。
【００３０】
嵌合構造２６は、図５に示すように、第１分割体３０に設けられた第１溝部３７および第１突部３８、第２分割体４０に設けられた第２溝部４６および第２突部４７を備えている。第１突部３８は第２溝部４６に嵌合し、第２突部４７は第１溝部３７に嵌合するものとされている。
【００３１】
第１溝部３７は、側方に開放された溝であり、図６に示すように、側壁１５の下縁部に沿って連続して延びている。第１溝部３７の上下両面は、図７に示すように、互いに略平行をなしている。第１溝部３７は、第１突部３８と、第１突部３８の上側に突設された上突部３９との間に形成された部分である。
【００３２】
第１突部３８は、図７に示すように、側壁１５の下端面に沿って側方に突出している。第１突部３８は、図６に示すように、側壁１５の長手方向の略全体にわたっている。
【００３３】
上突部３９は、図７に示すように、第１突部３８と略平行をなしている。上突部３９の突出寸法は、第１突部３８の突出寸法よりも大きくされている。上突部３９は、図６に示すように、突出縁部３５の端と同じ位置まで連続して延びている。上突部３９のうち第１回転部３３側の端部は、図４に示すように、第１分割体３０と第２分割体４０との合体時に、第２分割体４０の端壁１８に近接可能となっている。
【００３４】
第２溝部４６は、図５に示すように、下壁１４と第２突部４７との間に形成された部分である。第２突部４７は、下壁１４の左右両端縁に沿って立つ立突部４８の上端縁に内向きに突出して設けられている。第２突部４７および立突部４８は、図６に示すように、端壁１８の幅方向における両端縁部から連結部１６に近い位置まで連続して延びている。第２突部４７および立突部４８のうち連結部１６側の端部は、図４に示すように、第１分割体３０と第２分割体４０との合体時に、第１分割体３０の突出壁部３６に近接可能とされている。
【００３５】
次に、本実施例におけるワイヤハーネスＷの組み立て作業の一例を説明する。
まず、電線５０の端部に図示しないコネクタを接続する。電線５０の端末部に端子金具を圧着し、端子金具をコネクタに挿入する。
【００３６】
次に、第１分割体３０に電線５０を沿わせる（図６参照）。ケーブルガイド５１のリンク体５２から引き出されている電線５０の束を、第１筒状部３２の内部に収容するとともに第１回転部３３側に屈曲して、上壁１３及び第１回転部３３の内面に沿わせた状態にする。コネクタは、第１回転部３３よりも上側に出しておく。
【００３７】
次いで、第２分割体４０を第１分割体３０に合体させる。第２分割体４０の下壁１４を第１筒状部３２の開放側に嵌め入れるようにしてスライドさせる。図５に示すように、第１分割体３０の第１突部３８は第２分割体４０の第２溝部４６に入り、第２分割体４０の第２突部４７は第１分割体３０の第１溝部３７に入る。嵌合構造２６によって、第１分割体３０と第２分割体４０とのスライド動作（合体動作）が円滑に案内される。やがて、図４に示すように、回転部１２の分割面２４が密着し、電線５０の束が電線挿通孔２３に貫通された状態になる。また、ロック片４１がロック突起３１を乗り越えて弾性復帰し、ロック片４１とロック突起３１とがロック状態になる。こうして、第１分割体３０と第２分割体４０とが合体状態になり、ガイド端１０が形成される。
【００３８】
次に、ガイド端１０をリンク体５２に連結することにより、ケーブルガイド５１の組み立てが完了する。
以上により、ワイヤハーネスＷの組み立て作業が完了する。
【００３９】
次に、上記のように構成された実施例の作用および効果について説明する。
本実施例におけるケーブルガイド５１のガイド端１０は、所定の形状に屈曲可能なケーブルガイド５１の端部に配され、スライドドアＤに固定されるブラケット５５に回転可能に保持されるものであり、ケーブルガイド５１の内部に挿通された電線５０を外部に引き出す電線挿通孔２３が形成されている。ガイド端１０は、電線挿通孔２３を周方向に分割する第１分割体３０及び第２分割体４０を有し、第１分割体３０と第２分割体４０とが合体した状態では電線挿通孔２３の全周が閉じ、第１分割体３０と第２分割体４０とが合体していない状態では電線挿通孔２３が開いた状態になる。
【００４０】
この構成によれば、第１分割体３０に電線５０を沿わせ、第２分割体４０を合体することにより、電線挿通孔２３に電線５０が挿通された状態になるから、電線５０を通す作業が不要になるので、ワイヤハーネスＷの組み立て作業を容易に行うことができる。
【００４１】
また、第１分割体３０と第２分割体４０とが、水平方向に合体するものであり、水平方向にスライド嵌合して上下方向に係止可能な嵌合構造２６を備えている。この構成によれば、例えばケーブルガイド５１が踏みつけられて、第２分割体４０に下向きの大きな力が作用すると、第２突部４７が第１突部３８に上下方向に当接し、下向きの大きな力が第１突部３８に分散して受けられる。よって、第２分割体４０に大きな下向きの力が作用しても、第１分割体３０と第２分割体４０とを合体状態に保持することができる。
【００４２】
＜他の実施例＞
本発明は上記記述及び図面によって説明した実施例に限定されるものではなく、例えば次のような実施例も本発明の技術的範囲に含まれる。
（１）上記実施例では、本発明をスライドドアＤ側のガイド端１０に適用した場合について説明したが、本発明はボディ側のガイド端に適用してもよい。
（２）上記実施例では、本発明をスライドドア用のワイヤハーネスＷに適用した場合について説明したが、本発明は所定の形状に屈曲可能なケーブルガイドを備えた各種のワイヤハーネス（例えばスライドシートに接続するワイヤハーネス等）に適用してもよい。
（３）上記実施例では、嵌合構造２６の具体的な形状を例示したが、これに限らず、例えば嵌合構造はアリ溝嵌合にしてもよい。
（４）上記実施例では、ロック構造２５の具体的な形状を例示したが、これに限らず、ロック構造は変更してもよい。
（５）上記実施例では、回転部１２が、ケーブルガイド５１の長手方向に分割されているが、これに限らず、回転部は、例えばケーブルガイドの短手方向（幅方向）に分割されるものとしてもよい。
（６）上記実施例では、第１分割体３０および第２分割体４０の具体的な形状を例示したが、これに限らず、第１分割体および第２分割体の形状は任意に変更してもよい。
【符号の説明】
【００４３】
Ｄ…スライドドア（被固定部）
Ｗ…ワイヤハーネス
１０…ガイド端
１１…筒状部
１３…上壁
１４…下壁
２３…電線挿通孔
２６…嵌合構造
３０…第１分割体
４０…第２分割体
５０…電線
５１…ケーブルガイド
５５…ブラケット
【図１】
0006558312.tif 000002
【図２】
0006558312.tif 000003
【図３】
0006558312.tif 000004
【図４】
0006558312.tif 000005
【図５】
0006558312.tif 000006
【図６】
0006558312.tif 000007
【図７】
0006558312.tif 000008
【図８】
0006558312.tif 000009